(57)【要約】【課題】記録品位を最良にすることができる光ディスク記録再生装置を提供する。【解決手段】トラッキングエラー信号にオフセット電圧（偏位値）を徐々に与えてトラッキングをずらしながらデータを記録した後、その記録領域を再生し、再生ＲＦ信号から生成したバイフェーズデータのジッター値（アドレス情報の読み取り状態）をバイフェーズジッター検出回路２０で検出する。そして、ＣＰＵ１４が、トラッキングエラー信号に与えたオフセット電圧値（トラッキングのずれ量）と検出したバイフェーズデータのジッター値を基に、データの読み取り状態が最良となるトラッキングのずれ量としてバイフェーズデータのジッター値が最小となるオフセット電圧値を求めてメモリ１５に記録する。【選択図】    図１
2004288251.tif 000002
【特許請求の範囲】
【請求項１】
予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、
前記トラッキングエラー信号に偏位値を与えてトラッキングをずらしていく手段と、
トラッキングをずらしてデータを記録し、その記録領域を再生して生成した前記再生信号からアドレス情報の読み取り状態を検出する手段と、
上記トラッキングをずらしてデータを記録したときのトラッキングのずれ量と、検出されたアドレス情報の読み取り状態との関係から、アドレス情報の読み取り状態が最良となるトラッキングのずれ量を求めて記録する手段と
を有し、この記録したトラッキングのずれ量だけトラッキングをずらしてデータの記録を行うことを特徴とする光ディスク記録再生装置。
【請求項２】
予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、
前記トラッキングエラー信号に偏位値を与えてトラッキングをずらしていく手段と、
トラッキングをずらしてデータを記録し、その記録領域を再生して生成した前記再生信号からデータの読み取り状態を検出する手段と、
上記トラッキングをずらしてデータを記録したときのトラッキングのずれ量と、検出されたデータの読み取り状態との関係から、データの読み取り状態が最良となるトラッキングのずれ量を求めて記録する手段と
を有し、この記録したトラッキングのずれ量だけトラッキングをずらしてデータの記録を行うことを特徴とする光ディスク記録再生装置。
【請求項３】
予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、
前記トラッキングエラー信号に偏位値を与えてトラッキングをずらしていく手段と、
トラッキングをずらしてデータを記録し、その記録領域を再生して生成した前記再生信号の振幅値を検出する手段と、
上記トラッキングをずらしてデータを記録したときのトラッキングのずれ量と、検出された前記再生信号の振幅値との関係から、前記再生信号の振幅値が最大となるトラッキングのずれ量を求めて記録する手段と
を有し、この記録したトラッキングのずれ量だけトラッキングをずらしてデータの記録を行うことを特徴とする光ディスク記録再生装置。
【請求項４】
予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、
前記トラッキングエラー信号に偏位値を与えてトラッキングをずらしていく手段と、
トラッキングをずらしてデータを記録し、その記録領域を再生して生成した前記再生信号からアドレス情報の読み取り状態を検出する手段と、
上記トラッキングをずらしてデータを記録し、その記録領域を再生して生成した前記再生信号からデータの読み取り状態を検出する手段と、
上記トラッキングをずらしてデータを記録したときのトラッキングのずれ量と、検出されたアドレス情報の読み取り状態、及び検出されたデータの読み取り状態の関係から、アドレス情報の読み取り状態が最良となるトラッキングのずれ量、及びデータの読み取り状態が最良となるトラッキングのずれ量を求め、これらのずれ量を基に記録に最適なトラッキングのずれ量を求めて記録する手段と
を有し、この記録したトラッキングのずれ量だけトラッキングをずらしてデータの記録を行うことを特徴とする光ディスク記録再生装置。
【請求項５】
予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、
前記トラッキングエラー信号に偏位値を与えてトラッキングをずらしていく手段と、
トラッキングをずらしてデータを記録し、その記録領域を再生して生成した前記再生信号からデータの読み取り状態を検出する手段と、
上記トラッキングをずらしてデータを記録し、その記録領域を再生して生成した前記再生信号の振幅値を検出する手段と、
上記トラッキングをずらしてデータを記録したときのトラッキングのずれ量と、検出されたデータの読み取り状態、及び検出された前記再生信号の振幅値の関係から、データの読み取り状態が最良となるトラッキングのずれ量、及び前記再生信号の振幅値が最大となるトラッキングのずれ量を求め、これらのずれ量を基に記録に最適なトラッキングのずれ量を求めて記録する手段と
を有し、この記録したトラッキングのずれ量だけトラッキングをずらしてデータの記録を行うことを特徴とする光ディスク記録再生装置。
【請求項６】
予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、
前記トラッキングエラー信号に偏位値を与えてトラッキングをずらしていく手段と、
トラッキングをずらしてデータを記録し、その記録領域を再生して生成した前記再生信号からアドレス情報の読み取り状態を検出する手段と、
上記トラッキングをずらしてデータを記録し、その記録領域を再生して生成した前記再生信号の振幅値を検出する手段と、
上記トラッキングをずらしてデータを記録したときのトラッキングのずれ量と、検出されたアドレス情報の読み取り状態、及び検出された前記再生信号の振幅値の関係から、アドレス情報の読み取り状態が最良となるトラッキングのずれ量、及び前記再生信号の振幅値が最大となるトラッキングのずれ量を求め、これらのずれ量を基に記録に最適なトラッキングのずれ量を求めて記録する手段と
を有し、この記録したトラッキングのずれ量だけトラッキングをずらしてデータの記録を行うことを特徴とする光ディスク記録再生装置。
【請求項７】
予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、
前記トラッキングエラー信号に偏位値を与えてトラッキングをずらしていく手段と、
トラッキングをずらしてのデータ記録中における前記光ディスクからの反射光により生成した前記再生信号からアドレス情報の読み取り状態を検出する手段と、
上記トラッキングをずらしてデータを記録したときのトラッキングのずれ量と、検出されたアドレス情報の読み取り状態との関係から、アドレス情報の読み取り状態が最良となるトラッキングのずれ量を求めて記録する手段と
を有し、この記録したトラッキングのずれ量だけトラッキングをずらしてデータの記録を行うことを特徴とする光ディスク記録再生装置。
【請求項８】
予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、
前記フォーカスエラー信号に偏位値を与えて光の焦点を合焦点からずらしていく手段と、
光の焦点を合焦点からずらしてデータを記録し、その記録領域を再生して生成した前記再生信号からアドレス情報の読み取り状態を検出する手段と、
上記光の焦点を合焦点からずらしてデータを記録したときの合焦点からのずれ量と、検出されたアドレス情報の読み取り状態との関係から、アドレス情報の読み取り状態が最良となる合焦点からのずれ量を求めて記録する手段と
を有し、この記録した合焦点からのずれ量だけ光の焦点を合焦点からずらしてデータの記録を行うことを特徴とする光ディスク記録再生装置。
【請求項９】
予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、
前記フォーカスエラー信号に偏位値を与えて光の焦点を合焦点からずらしていく手段と、
光の焦点を合焦点からずらしてデータを記録し、その記録領域を再生して生成した前記再生信号からデータの読み取り状態を検出する手段と、
上記光の焦点を合焦点からずらしてデータを記録したときの合焦点からのずれ量と、検出されたデータの読み取り状態との関係から、データの読み取り状態が最良となる合焦点からのずれ量を求めて記録する手段と
を有し、この記録した合焦点からのずれ量だけ光の焦点を合焦点からずらしてデータの記録を行うことを特徴とする光ディスク記録再生装置。
【請求項１０】
予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、
前記フォーカスエラー信号に偏位値を与えて光の焦点を合焦点からずらしていく手段と、
光の焦点を合焦点からずらしてデータを記録し、その記録領域を再生して生成した前記再生信号の振幅値を検出する手段と、
上記光の焦点を合焦点からずらしてデータを記録したときの合焦点からのずれ量と、検出された前記再生信号の振幅値との関係から、前記再生信号の振幅値が最大となる合焦点からのずれ量を求めて記録する手段と
を有し、この記録した合焦点からのずれ量だけ光の焦点を合焦点からずらしてデータの記録を行うことを特徴とする光ディスク記録再生装置。
【請求項１１】
予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、
前記フォーカスエラー信号に偏位値を与えて光の焦点を合焦点からずらしていく手段と、
光の焦点を合焦点からずらしてデータを記録し、その記録領域を再生して生成した前記再生信号からアドレス情報の読み取り状態を検出する手段と、
上記光の焦点を合焦点からずらしてデータを記録し、その記録領域を再生して生成した前記再生信号からデータの読み取り状態を検出する手段と、
上記光の焦点を合焦点からずらしてデータを記録したときの合焦点からのずれ量と、検出されたアドレス情報の読み取り状態、及び検出されたデータの読み取り状態の関係から、アドレス情報の読み取り状態が最良となる合焦点からのずれ量、及びデータの読み取り状態が最良となる合焦点からのずれ量を求め、これらのずれ量を基に記録に最適な合焦点からのずれ量を求めて記録する手段と
を有し、この記録した合焦点からのずれ量だけ光の焦点を合焦点からずらしてデータの記録を行うことを特徴とする光ディスク記録再生装置。
【請求項１２】
予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、
前記フォーカスエラー信号に偏位値を与えて光の焦点を合焦点からずらしていく手段と、
光の焦点を合焦点からずらしてデータを記録し、その記録領域を再生して生成した前記再生信号からデータの読み取り状態を検出する手段と、
上記光の焦点を合焦点からずらしてデータを記録し、その記録領域を再生して生成した前記再生信号の振幅値を検出する手段と、
上記光の焦点を合焦点からずらしてデータを記録したときの合焦点からのずれ量と、検出されたデータの読み取り状態、及び検出された前記再生信号の振幅値の関係から、データの読み取り状態が最良となる合焦点からのずれ量、及び前記再生信号の振幅値が最大となる合焦点からのずれ量を求め、これらのずれ量を基に記録に最適な合焦点からのずれ量を求めて記録する手段と
を有し、この記録した合焦点からのずれ量だけ光の焦点を合焦点からずらしてデータの記録を行うことを特徴とする光ディスク記録再生装置。
【請求項１３】
予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、
前記フォーカスエラー信号に偏位値を与えて光の焦点を合焦点からずらしていく手段と、
光の焦点を合焦点からずらしてデータを記録し、その記録領域を再生して生成した前記再生信号からアドレス情報の読み取り状態を検出する手段と、
上記光の焦点を合焦点からずらしてデータを記録し、その記録領域を再生して生成した前記再生信号の振幅値を検出する手段と、
上記光の焦点を合焦点からずらしてデータを記録したときの合焦点からのずれ量と、検出されたアドレス情報の読み取り状態、及び検出された前記再生信号の振幅値の関係から、アドレス情報の読み取り状態が最良となる合焦点からのずれ量、及び前記再生信号の振幅値が最大となる合焦点からのずれ量を求め、これらのずれ量を基に記録に最適な合焦点からのずれ量を求めて記録する手段と
を有し、この記録した合焦点からのずれ量だけ光の焦点を合焦点からずらしてデータの記録を行うことを特徴とする光ディスク記録再生装置。
【請求項１４】
予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、
前記フォーカスエラー信号に偏位値を与えて光の焦点を合焦点からずらしていく手段と、
光の焦点を合焦点からずらしてのデータ記録中における前記光ディスクからの反射光により生成した前記再生信号からアドレス情報の読み取り状態を検出する手段と、
上記光の焦点を合焦点からずらしてデータを記録したときの合焦点からのずれ量と、検出されたアドレス情報の読み取り状態との関係から、アドレス情報の読み取り状態が最良となる合焦点からのずれ量を求めて記録する手段と
を有し、この記録した合焦点からのずれ量だけ光の焦点を合焦点からずらしてデータの記録を行うことを特徴とする光ディスク記録再生装置。
【請求項１５】
予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、
前記光ディスク面に対する光の光軸の傾斜角度をずらしていく手段と、
前記光ディスク面に対する光の光軸の傾斜角度をずらしてデータを記録し、その記録領域を再生して生成した前記再生信号からアドレス情報の読み取り状態を検出する手段と、
上述の前記光ディスク面に対する光の光軸の傾斜角度をずらしてデータを記録したときの傾斜角度と、検出されたアドレス情報の読み取り状態との関係から、アドレス情報の読み取り状態が最良となる傾斜角度を求めて記録する手段と
を有し、この記録した傾斜角度だけ光の光軸を傾斜させてデータの記録を行うことを特徴とする光ディスク記録再生装置。
【請求項１６】
予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、
前記光ディスク面に対する光の光軸の傾斜角度をずらしていく手段と、
前記光ディスク面に対する光の光軸の傾斜角度をずらしてデータを記録し、その記録領域を再生して生成した前記再生信号からデータの読み取り状態を検出する手段と、
上述の前記光ディスク面に対する光の光軸の傾斜角度をずらしてデータを記録したときの傾斜角度と、検出されたデータの読み取り状態との関係から、データの読み取り状態が最良となる傾斜角度を求めて記録する手段と
を有し、この記録した傾斜角度だけ光の光軸を傾斜させてデータの記録を行うことを特徴とする光ディスク記録再生装置。
【請求項１７】
予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、
前記光ディスク面に対する光の光軸の傾斜角度をずらしていく手段と、
前記光ディスク面に対する光の光軸の傾斜角度をずらしてデータを記録し、その記録領域を再生して生成した前記再生信号の振幅値を検出する手段と、
上述の前記光ディスク面に対する光の光軸の傾斜角度をずらしてデータを記録したときの傾斜角度と、検出された前記再生信号の振幅値との関係から、前記再生信号の振幅値が最大となる傾斜角度を求めて記録する手段と
を有し、この記録した傾斜角度だけ光の光軸を傾斜させてデータの記録を行うことを特徴とする光ディスク記録再生装置。
【請求項１８】
予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、
前記光ディスク面に対する光の光軸の傾斜角度をずらしていく手段と、
前記光ディスク面に対する光の光軸の傾斜角度をずらしてデータを記録し、その記録領域を再生して生成した前記再生信号からアドレス情報の読み取り状態を検出する手段と、
上述の前記光ディスク面に対する光の光軸の傾斜角度をずらしてデータを記録し、その記録領域を再生して生成した前記再生信号からデータの読み取り状態を検出する手段と、
上述の前記光ディスク面に対する光の光軸の傾斜角度をずらしてデータを記録したときの傾斜角度と、検出されたアドレス情報の読み取り状態、及び検出されたデータの読み取り状態の関係から、アドレス情報の読み取り状態が最良となる傾斜角度、及びデータの読み取り状態が最良となる傾斜角度を求め、これらの傾斜角度を基に記録に最適な傾斜角度を求めて記録する手段と
を有し、この記録した傾斜角度だけ光の光軸を傾斜させてデータの記録を行うことを特徴とする光ディスク記録再生装置。
【請求項１９】
予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、
前記光ディスク面に対する光の光軸の傾斜角度をずらしていく手段と、
前記光ディスク面に対する光の光軸の傾斜角度をずらしてデータを記録し、その記録領域を再生して生成した前記再生信号からデータの読み取り状態を検出する手段と、
上述の前記光ディスク面に対する光の光軸の傾斜角度をずらしてデータを記録し、その記録領域を再生して生成した前記再生信号の振幅値を検出する手段と、
上述の前記光ディスク面に対する光の光軸の傾斜角度をずらしてデータを記録したときの傾斜角度と、検出されたデータの読み取り状態、及び検出された前記再生信号の振幅値の関係から、データの読み取り状態が最良となる傾斜角度、及び前記再生信号の振幅値が最大となる傾斜角度を求め、これらの傾斜角度を基に記録に最適な傾斜角度を求めて記録する手段と
を有し、この記録した傾斜角度だけ光の光軸を傾斜させてデータの記録を行うことを特徴とする光ディスク記録再生装置。
【請求項２０】
予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、
前記光ディスク面に対する光の光軸の傾斜角度をずらしていく手段と、
前記光ディスク面に対する光の光軸の傾斜角度をずらしてデータを記録し、その記録領域を再生して生成した前記再生信号からアドレス情報の読み取り状態を検出する手段と、
上述の前記光ディスク面に対する光の光軸の傾斜角度をずらしてデータを記録し、その記録領域を再生して生成した前記再生信号の振幅値を検出する手段と、
上述の前記光ディスク面に対する光の光軸の傾斜角度をずらしてデータを記録したときの傾斜角度と、検出されたアドレス情報の読み取り状態、及び検出された前記再生信号の振幅値の関係から、アドレス情報の読み取り状態が最良となる傾斜角度、及び前記再生信号の振幅値が最大となる傾斜角度を求め、これらの傾斜角度を基に記録に最適な傾斜角度を求めて記録する手段と
を有し、この記録した傾斜角度だけ光の光軸を傾斜させてデータの記録を行うことを特徴とする光ディスク記録再生装置。
【請求項２１】
予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、
前記光ディスク面に対する光の光軸の傾斜角度をずらしていく手段と、
前記光ディスク面に対する光の光軸の傾斜角度をずらしてのデータ記録中における前記光ディスクからの反射光により生成した前記再生信号からアドレス情報の読み取り状態を検出する手段と、
上述の前記光ディスク面に対する光の光軸の傾斜角度をずらしてデータを記録したときの傾斜角度と、検出されたアドレス情報の読み取り状態との関係から、アドレス情報の読み取り状態が最良となる傾斜角度を求めて記録する手段と
を有し、この記録した傾斜角度だけ光の光軸を傾斜させてデータの記録を行うことを特徴とする光ディスク記録再生装置。
【発明の詳細な説明】
【０００１】
【発明の属する技術分野】
本発明は、ＣＤ−Ｒ／ＲＷやＤＶＤ等の記録可能な光ディスクに対してデータの記録や再生を行う光ディスク記録再生装置に関する。
【０００２】
【従来の技術】
データが記録された光ディスクを再生する光ディスク再生装置の再生性能を示す要素の一つに、トラッキングのずれがどの程度許容されるのかを表すデトラックトレランス値がある。
【０００３】
このデトラックトレランス値を検出する従来のデトラックトレランス検出装置は、ディスク再生中にトラッキングエラー信号に徐々に偏位値を与えてトラッキングをずらしていきながらディスクの再生状態を検出することにより、光ディスク再生装置の再生性能を示すデトラックトレランス値を検出する。具体的には、ディスク再生中にトラッキングエラー信号に徐々に偏位値としてオフセット電圧を加えていき、トラッキングエラー信号のセンター電圧をずらしながら、ディスクの再生状態として、再生ＲＦ信号から生成したアドレスデータのエラー値を検出する。そして、このアドレスエラー値が所定値を越えたときの元のセンター電圧からのずれ電圧により、光ディスク再生装置の再生性能を示すデトラックトレランス値を検出する。従来のデトラックトレランス検出装置は、このようにしてデトラックトレランス値を検出していた（例えば、特許文献１参照。）。以下、この従来のデトラックトレランス検出装置について詳説する。
【０００４】
図２は従来のデトラックトレランス検出装置を適用されたミニディスクプレーヤの概略構成を示すブロック図である。図２において、光学ヘッド３１には、レーザ光を照射するレーザダイオード、偏光ビームスプリッタ、対物レンズ等からなる光学系や、光ディスク３０からの反射光を検出するための光検出器、対物レンズをディスクの半径方向（トラッキング方向）及びディスクに接離する方向（フォーカス方向）に移動させる２軸デバイス等が設けられている。
【０００５】
また、ＲＦアンプ３２は、光学ヘッド３１内蔵の光検出器の出力から、演算処理により再生ＲＦ信号、トラッキングエラー信号、フォーカスエラー信号等を生成してデジタルサーボ回路３３へ出力する。デジタルサーボ回路３３は、フォーカスエラー信号及びトラッキングエラー信号からＦＣＳ（Ｆｏｃｕｓｉｎｇ  Ｓｅｒｖｏ）−ＰＷＭ信号及びＴＲＫ（Ｔｒａｃｋｉｎｇ  Ｓｅｒｖｏ）−ＰＷＭ信号を生成し、サーボドライバ３４を介して、２軸デバイスのＦＣＫコイル及びＴＲＫコイルへそれぞれ供給し、フォーカス制御及びトラッキング制御を行う。
【０００６】
図３は、図２に示すＲＦアンプ等の詳細な回路等を示すブロック図である。
図３において、３１Ａ〜３１Ｆは光検出器としてのフォトディテクタである。これらのうち、フォトディテクタ３１Ｅ、３１Ｆがトラッキングエラー信号を生成するためのフォトディテクタである。
【０００７】
また、点線で囲まれている部位がＲＦアンプ３２であり、フォトディテクタ３１Ａ〜３１Ｆが出力する電流を電圧に変換する演算増幅器３６Ａ〜３６Ｆと、演算増幅器３６Ａ〜３６Ｆの出力を演算処理する演算増幅器３７Ａ〜３７Ｃからなる。これらのうちの演算増幅器３６Ｅ、３６Ｆと演算増幅器３７Ｃがトラッキングエラー信号を生成するための演算増幅器であり、演算増幅器３６Ｅ、３６Ｆがフォトディテクタ３１Ｅ、３１Ｆから出力される電流ＳＥ、ＳＦを電圧に変換し、演算増幅器３７Ｃが電圧ＳＥ、ＳＦの差分（ＳＥ−ＳＦ）を求め、フォーカスエラー信号としてデジタルサーボ回路３３へ出力する。
【０００８】
また、フォトディテクタ３１Ｅ、３１Ｆから出力される電流ＳＥ、ＳＦを電圧に変換する演算増幅器３６Ｅ、３６Ｆのうちの一方には、トラッキングエラー信号のセンター電圧をずらすためのゲイン調整回路３９が設けられている。ゲイン調整回路３９は、システムコントローラ３５からロー・パス・フィルタ３８を介して供給されるデトラック信号（ＰＷＭ信号）に従い、演算増幅器のゲインを変化させる。これにより、演算増幅器３６Ｅ、３６Ｆの一方のゲインを他方と異なるように設定することができるので、ゲインの異なる分だけトラッキングエラー信号のセンター電圧をずらすことができる。
【０００９】
以下、図２、３に示すように構成されたミニディスクプレーヤにおけるデトラックトレランス検出処理動作について説明する。
まず、光スポットがトラックセンターに位置するように、トラッキングエラー信号のセンター電圧を電圧値Ｖｃに設定する。そして、ゲイン調整回路３９を制御することによりトラッキングエラー信号にオフセット電圧（偏位値）を加え、センター電圧を１ステップＶａずつ上げていく。図４（Ａ）〜図４（Ｃ）に示すように、トラッキングエラー信号は、センター電圧を１ステップＶａずつ上げていく毎に一方に偏っていく。このようにセンター電圧をずらすことによりトラッキング位置をトラックセンターからずらすとともに、再生ＲＦ信号から生成されるアドレスデータのエラー値を検出する。トラッキングをずらした結果、アドレスエラー値が所定値を越えれば、このときの元のセンター電圧値Ｖｃからのずれ電圧値Ｖｍａｘを取り込む。
【００１０】
同様に、ゲイン調整回路３９を制御することによりセンター電圧を１ステップＶａずつ下げていく。図５（Ａ）〜図５（Ｃ）に示すように、トラッキングエラー信号は、センター電圧を１ステップＶａずつ下げていく毎に一方に偏っていく。このようにセンター電圧をずらすことによりトラッキング位置をトラックセンターからずらすとともに、再生ＲＦ信号から生成されるアドレスデータのエラー値を検出する。トラッキングをずらした結果、アドレスエラー値が所定値を越えれば、このときの元のセンター電圧値Ｖｃからのずれ電圧値Ｖｍｉｎを取り込む。
【００１１】
以上のような処理により、再生限界となる元のセンター電圧値Ｖｃからのずれ電圧値Ｖｍａｘ、Ｖｍｉｎがわかり、このずれ電圧値Ｖｍａｘ、Ｖｍｉｎから光ディスク再生装置の再生性能を示すデトラックトレランス値が導き出される。
【００１２】
図６にトラックセンターからのずれ距離を示すデトラック値［μｍ］とディスクの再生状態を示すアドレスエラー値の関係の一例を示す。図６に示すように、デトラック値が例えば“±０．２μｍ”を越えると、アドレスエラー値が急激に増加し始める。このような関係を示した場合のデトラックトレランス値（再生限界となるデトラック値）は、例えば“±０．２μｍ”である。なお、デトラック値は、元のセンター電圧値Ｖｃからのずれ電圧値より求めることができる。
【００１３】
一方、この技術を利用して光ディスク再生装置の再生性能を上げる場合には、上記のようにデトラックトレランス値［μｍ］を求め、その中間のデトラック値［μｍ］に対応する元のセンター電圧値Ｖｃからのずれ電圧値Ｖｃｅｎｔｅｒを求める。そして、この求めたずれ電圧値Ｖｃｅｎｔｅｒをトラッキングエラー信号に加わて再生を行うようにする。このようにすれば、再生限界となるデトラックトレランス値に対して、リードマージンを確保した状態で再生を行うことができるようになる。
【００１４】
しかしながら、このようにして求めたずれ電圧値Ｖｃｅｎｔｅｒをトラッキングエラー信号に与えた状態で再生を行う場合、以下に説明するような問題が発生する。
【００１５】
図７の点線は、デトラック値と、再生ＲＦ信号（例えば、ＥＦＭ信号や８−１６変調信号）を２値化したデータのジッター値（データの読み取り状態）や、光ディスク上にアドレス情報として予め記録されているＡＴＩＰ（Ａｂｓｏｌｕｔｅ  Ｔｉｍｅ  Ｉｎ  Ｐｒｅ−ｇｒｏｏｖｅ）信号を２値化したアドレスデータのジッター値（アドレス情報の読み取り状態）等との関係を示している。この点線に示すように、デトラック値とジッター値の関係は、光ディスク再生装置の製造ばらつきや、装置を構成する回路の特性の偏りなどにより、必ずしもある軸に対して対称に変化するものではなく、むしろ非対称な変化を示すことになる。例えば、デトラック値とジッター値の関係が図７の点線で示すような特性となる光ディスク再生装置では、ジッター値が最小となるのは、すなわち再生性能が最良となるのは、デトラック値が“＋０．１μｍ”のときである。
【００１６】
一方、再生ＲＦ信号は、２値化された後、エラー訂正される。従って、再生ＲＦ信号の品質がある程度悪くても、すなわちデータのジッター値がある程度大きくても、エラー訂正により再生性能が改善されることになる。
【００１７】
そのため、図７の点線で示されるようなデトラック値とジッター値の関係を持つ光ディスク再生装置であっても、エラー訂正後のデトラック値とアドレスエラー値の関係は、図７の実線で示されるような内容となる。この場合、“±０．２μｍ”以内のデトラック値であればアドレスエラー値は変化しないので、再生限界となるデトラックトレランス値に対してリードマージンを確保した状態で再生を行うには、デトラックトレランス値“±０．２μｍ”の中間のデトラック値“０μｍ”に対応するずれ電圧値Ｖｃｅｎｔｅｒをトラッキングエラー信号に与えた状態で再生を行うようにすればよい。
【００１８】
しかし、このようにして求めたずれ電圧値Ｖｃｅｎｔｅｒをトラッキングエラー信号に与えてトラッキングを制御している状態であっても、例えば回路または素子が持つ温度特性等の影響で再生性能が悪化すると、以下のような問題が生じる。
【００１９】
図７の点線に対して一点鎖線は、上述したように回路または素子が持つ温度特性等の影響で再生性能が悪化した場合のデトラック値とジッター値の関係を示している。再生性能が悪化した場合、図７の一点鎖線に示すように“０μｍ”におけるデータのジッター値（データやアドレス情報の読み取り状態）が再生限界を越えることになる。つまり、従来のようにして導き出されるデトラック値を用いて再生を行った場合は、環境等の変化の影響を受けてリードマージンが減少し、リードエラーが発生するという問題があった。
【００２０】
更に、再生ＲＦ信号の品質すなわちデータのジッター値は、再生性能の悪化の影響だけではなく、記録品位の影響も受ける。つまりこの事は、次の内容を示している。
【００２１】
図８の点線は、レーザ光の光スポットをトラック方向（半径方向）に徐々にずらして記録済みディスクを再生した場合にジッター値がどのように変化するかを示している。また、図８の実線は、光スポットを徐々にトラック方向にずらしながら未記録ディスクにデータを記録した後、光スポットを例えばトラックセンターにトラッキングしてその記録領域を再生した場合にジッター値がどのように変化するかを示している。この図８からわかるように、記録品位を最良にするデトラック値と、再生状態を最良にするデトラック値とは一致せず、再生性能を最良にするデトラック値“＋０．１μｍ”を用いて記録を行った場合の記録品位は、デトラック値を“−０．２μｍ”にして記録を行う場合よりも悪化することになる。つまり、記録品位を良くするためには、デトラック値“−０．２μｍ”に対応するずれ電圧値Ｖｃｅｎｔｅｒをトラッキングエラー信号に与えた状態にする必要があるとの結果となる。
【００２２】
このように記録品位を最良にするデトラック値は、再生状態を最良にするデトラック値とは一致せず、再生状態を最良にするデトラック値を用いて記録を行うと、その記録品位は最良のものにならないという問題があった。また、デトラックだけではなく、フォーカス及びチルトに関する特性についても同様の問題があった。
【００２３】
【特許文献１】
特開平０８−２４９６８５号公報
【００２４】
【発明が解決しようとする課題】
本発明は、上記問題に鑑み、トラッキングエラー信号に偏位値を徐々に与えてトラッキングをずらしながらデータを記録した後、この記録領域を再生し、記録品位を示す情報として、データの読み取り状態、あるいはアドレス情報の読み取り状態、あるいは再生信号の振幅値を検出し、データの読み取り状態が最良となるトラッキングのずれ量、あるいはアドレス情報の読み取り状態が最良となるトラッキングのずれ量、あるいは再生信号の振幅値が最大となるトラッキングのずれ量を求める。そして、データ記録時には、これらのうちのいずれか一つ、あるいはこれらを基に求めた最適なトラッキングのずれ量だけトラッキングをずらすことにより、記録品位を最良にすることができる光ディスク記録再生装置を提供することを目的とする。
【００２５】
また、フォーカスエラー信号に偏位値を徐々に与えて焦点を合焦点からずらしながらデータを記録した後、この記録領域を再生し、記録品位を示す情報として、データの読み取り状態、あるいはアドレス情報の読み取り状態、あるいは再生信号の振幅値を検出し、データの読み取り状態が最良となる合焦点からのずれ量、あるいはアドレス情報の読み取り状態が最良となる合焦点からのずれ量、あるいは再生信号の振幅値が最大となる合焦点からのずれ量を求める。そして、データ記録時には、これらのうちのいずれか一つ、あるいはこれらを基に求めた最適な合焦点からのずれ量だけ焦点を合焦点からずらすことにより、記録品位を最良にすることができる光ディスク記録再生装置を提供することを目的とする。
【００２６】
また、光ディスク面に対する光の光軸の傾斜角度（チルト角）を徐々にずらしながらデータを記録した後、この記録領域を再生し、記録品位を示す情報として、データの読み取り状態、あるいはアドレス情報の読み取り状態、あるいは再生信号の振幅値を検出し、データの読み取り状態が最良となるチルト角、あるいはアドレス情報の読み取り状態が最良となるチルト角、あるいは再生信号の振幅値が最大となるチルト角を求める。そして、データ記録時には、これらのうちのいずれか一つ、あるいはこれらを基に求めた最適なチルト角だけ光軸を傾けることにより、記録品位を最良にすることができる光ディスク再生記録装置を提供することを目的とする。
【００２７】
【課題を解決するための手段】
本発明の請求項１記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、前記トラッキングエラー信号に偏位値を与えてトラッキングをずらしていく手段と、トラッキングをずらしてデータを記録し、その記録領域を再生して生成した前記再生信号からアドレス情報の読み取り状態を検出する手段と、上記トラッキングをずらしてデータを記録したときのトラッキングのずれ量と、検出されたアドレス情報の読み取り状態との関係から、アドレス情報の読み取り状態が最良となるトラッキングのずれ量を求めて記録する手段とを有し、この記録したトラッキングのずれ量だけトラッキングをずらしてデータの記録を行うことを特徴とする。
【００２８】
本発明の請求項２記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、前記トラッキングエラー信号に偏位値を与えてトラッキングをずらしていく手段と、トラッキングをずらしてデータを記録し、その記録領域を再生して生成した前記再生信号からデータの読み取り状態を検出する手段と、上記トラッキングをずらしてデータを記録したときのトラッキングのずれ量と、検出されたデータの読み取り状態との関係から、データの読み取り状態が最良となるトラッキングのずれ量を求めて記録する手段とを有し、この記録したトラッキングのずれ量だけトラッキングをずらしてデータの記録を行うことを特徴とする。
【００２９】
本発明の請求項３記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、前記トラッキングエラー信号に偏位値を与えてトラッキングをずらしていく手段と、トラッキングをずらしてデータを記録し、その記録領域を再生して生成した前記再生信号の振幅値を検出する手段と、上記トラッキングをずらしてデータを記録したときのトラッキングのずれ量と、検出された前記再生信号の振幅値との関係から、前記再生信号の振幅値が最大となるトラッキングのずれ量を求めて記録する手段とを有し、この記録したトラッキングのずれ量だけトラッキングをずらしてデータの記録を行うことを特徴とする。
【００３０】
本発明の請求項４記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、前記トラッキングエラー信号に偏位値を与えてトラッキングをずらしていく手段と、トラッキングをずらしてデータを記録し、その記録領域を再生して生成した前記再生信号からアドレス情報の読み取り状態を検出する手段と、上記トラッキングをずらしてデータを記録し、その記録領域を再生して生成した前記再生信号からデータの読み取り状態を検出する手段と、上記トラッキングをずらしてデータを記録したときのトラッキングのずれ量と、検出されたアドレス情報の読み取り状態、及び検出されたデータの読み取り状態の関係から、アドレス情報の読み取り状態が最良となるトラッキングのずれ量、及びデータの読み取り状態が最良となるトラッキングのずれ量を求め、これらのずれ量を基に記録に最適なトラッキングのずれ量を求めて記録する手段とを有し、この記録したトラッキングのずれ量だけトラッキングをずらしてデータの記録を行うことを特徴とする。
【００３１】
本発明の請求項５記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、前記トラッキングエラー信号に偏位値を与えてトラッキングをずらしていく手段と、トラッキングをずらしてデータを記録し、その記録領域を再生して生成した前記再生信号からデータの読み取り状態を検出する手段と、上記トラッキングをずらしてデータを記録し、その記録領域を再生して生成した前記再生信号の振幅値を検出する手段と、上記トラッキングをずらしてデータを記録したときのトラッキングのずれ量と、検出されたデータの読み取り状態、及び検出された前記再生信号の振幅値の関係から、データの読み取り状態が最良となるトラッキングのずれ量、及び前記再生信号の振幅値が最大となるトラッキングのずれ量を求め、これらのずれ量を基に記録に最適なトラッキングのずれ量を求めて記録する手段とを有し、この記録したトラッキングのずれ量だけトラッキングをずらしてデータの記録を行うことを特徴とする。
【００３２】
本発明の請求項６記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、前記トラッキングエラー信号に偏位値を与えてトラッキングをずらしていく手段と、トラッキングをずらしてデータを記録し、その記録領域を再生して生成した前記再生信号からアドレス情報の読み取り状態を検出する手段と、上記トラッキングをずらしてデータを記録し、その記録領域を再生して生成した前記再生信号の振幅値を検出する手段と、上記トラッキングをずらしてデータを記録したときのトラッキングのずれ量と、検出されたアドレス情報の読み取り状態、及び検出された前記再生信号の振幅値の関係から、アドレス情報の読み取り状態が最良となるトラッキングのずれ量、及び前記再生信号の振幅値が最大となるトラッキングのずれ量を求め、これらのずれ量を基に記録に最適なトラッキングのずれ量を求めて記録する手段とを有し、この記録したトラッキングのずれ量だけトラッキングをずらしてデータの記録を行うことを特徴とする。
【００３３】
本発明の請求項７記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号とトラッキングのずれ量に応じたトラッキングエラー信号とを生成する信号生成手段と、を備え、前記トラッキングエラー信号に従いトラッキングしてデータの記録や再生を行う光ディスク記録再生装置であって、前記トラッキングエラー信号に偏位値を与えてトラッキングをずらしていく手段と、トラッキングをずらしてのデータ記録中における前記光ディスクからの反射光により生成した前記再生信号からアドレス情報の読み取り状態を検出する手段と、上記トラッキングをずらしてデータを記録したときのトラッキングのずれ量と、検出されたアドレス情報の読み取り状態との関係から、アドレス情報の読み取り状態が最良となるトラッキングのずれ量を求めて記録する手段とを有し、この記録したトラッキングのずれ量だけトラッキングをずらしてデータの記録を行うことを特徴とする。
【００３４】
本発明の請求項８記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、前記フォーカスエラー信号に偏位値を与えて光の焦点を合焦点からずらしていく手段と、光の焦点を合焦点からずらしてデータを記録し、その記録領域を再生して生成した前記再生信号からアドレス情報の読み取り状態を検出する手段と、上記光の焦点を合焦点からずらしてデータを記録したときの合焦点からのずれ量と、検出されたアドレス情報の読み取り状態との関係から、アドレス情報の読み取り状態が最良となる合焦点からのずれ量を求めて記録する手段とを有し、この記録した合焦点からのずれ量だけ光の焦点を合焦点からずらしてデータの記録を行うことを特徴とする。
【００３５】
本発明の請求項９記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、前記フォーカスエラー信号に偏位値を与えて光の焦点を合焦点からずらしていく手段と、光の焦点を合焦点からずらしてデータを記録し、その記録領域を再生して生成した前記再生信号からデータの読み取り状態を検出する手段と、上記光の焦点を合焦点からずらしてデータを記録したときの合焦点からのずれ量と、検出されたデータの読み取り状態との関係から、データの読み取り状態が最良となる合焦点からのずれ量を求めて記録する手段とを有し、この記録した合焦点からのずれ量だけ光の焦点を合焦点からずらしてデータの記録を行うことを特徴とする。
【００３６】
本発明の請求項１０記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、前記フォーカスエラー信号に偏位値を与えて光の焦点を合焦点からずらしていく手段と、光の焦点を合焦点からずらしてデータを記録し、その記録領域を再生して生成した前記再生信号の振幅値を検出する手段と、上記光の焦点を合焦点からずらしてデータを記録したときの合焦点からのずれ量と、検出された前記再生信号の振幅値との関係から、前記再生信号の振幅値が最大となる合焦点からのずれ量を求めて記録する手段とを有し、この記録した合焦点からのずれ量だけ光の焦点を合焦点からずらしてデータの記録を行うことを特徴とする。
【００３７】
本発明の請求項１１記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、前記フォーカスエラー信号に偏位値を与えて光の焦点を合焦点からずらしていく手段と、光の焦点を合焦点からずらしてデータを記録し、その記録領域を再生して生成した前記再生信号からアドレス情報の読み取り状態を検出する手段と、上記光の焦点を合焦点からずらしてデータを記録し、その記録領域を再生して生成した前記再生信号からデータの読み取り状態を検出する手段と、上記光の焦点を合焦点からずらしてデータを記録したときの合焦点からのずれ量と、検出されたアドレス情報の読み取り状態、及び検出されたデータの読み取り状態の関係から、アドレス情報の読み取り状態が最良となる合焦点からのずれ量、及びデータの読み取り状態が最良となる合焦点からのずれ量を求め、これらのずれ量を基に記録に最適な合焦点からのずれ量を求めて記録する手段とを有し、この記録した合焦点からのずれ量だけ光の焦点を合焦点からずらしてデータの記録を行うことを特徴とする。
【００３８】
本発明の請求項１２記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、前記フォーカスエラー信号に偏位値を与えて光の焦点を合焦点からずらしていく手段と、光の焦点を合焦点からずらしてデータを記録し、その記録領域を再生して生成した前記再生信号からデータの読み取り状態を検出する手段と、上記光の焦点を合焦点からずらしてデータを記録し、その記録領域を再生して生成した前記再生信号の振幅値を検出する手段と、上記光の焦点を合焦点からずらしてデータを記録したときの合焦点からのずれ量と、検出されたデータの読み取り状態、及び検出された前記再生信号の振幅値の関係から、データの読み取り状態が最良となる合焦点からのずれ量、及び前記再生信号の振幅値が最大となる合焦点からのずれ量を求め、これらのずれ量を基に記録に最適な合焦点からのずれ量を求めて記録する手段とを有し、この記録した合焦点からのずれ量だけ光の焦点を合焦点からずらしてデータの記録を行うことを特徴とする。
【００３９】
本発明の請求項１３記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、前記フォーカスエラー信号に偏位値を与えて光の焦点を合焦点からずらしていく手段と、光の焦点を合焦点からずらしてデータを記録し、その記録領域を再生して生成した前記再生信号からアドレス情報の読み取り状態を検出する手段と、上記光の焦点を合焦点からずらしてデータを記録し、その記録領域を再生して生成した前記再生信号の振幅値を検出する手段と、上記光の焦点を合焦点からずらしてデータを記録したときの合焦点からのずれ量と、検出されたアドレス情報の読み取り状態、及び検出された前記再生信号の振幅値の関係から、アドレス情報の読み取り状態が最良となる合焦点からのずれ量、及び前記再生信号の振幅値が最大となる合焦点からのずれ量を求め、これらのずれ量を基に記録に最適な合焦点からのずれ量を求めて記録する手段とを有し、この記録した合焦点からのずれ量だけ光の焦点を合焦点からずらしてデータの記録を行うことを特徴とする。
【００４０】
本発明の請求項１４記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に、再生信号と、照射する光の焦点の合焦点からのずれ量に応じたフォーカスエラー信号とを生成する信号生成手段と、を備え、前記フォーカスエラー信号に従い光の焦点を合焦点に合わせてデータの記録や再生を行う光ディスク記録再生装置であって、前記フォーカスエラー信号に偏位値を与えて光の焦点を合焦点からずらしていく手段と、光の焦点を合焦点からずらしてのデータ記録中における前記光ディスクからの反射光により生成した前記再生信号からアドレス情報の読み取り状態を検出する手段と、上記光の焦点を合焦点からずらしてデータを記録したときの合焦点からのずれ量と、検出されたアドレス情報の読み取り状態との関係から、アドレス情報の読み取り状態が最良となる合焦点からのずれ量を求めて記録する手段とを有し、この記録した合焦点からのずれ量だけ光の焦点を合焦点からずらしてデータの記録を行うことを特徴とする。
【００４１】
本発明の請求項１５記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、前記光ディスク面に対する光の光軸の傾斜角度をずらしていく手段と、前記光ディスク面に対する光の光軸の傾斜角度をずらしてデータを記録し、その記録領域を再生して生成した前記再生信号からアドレス情報の読み取り状態を検出する手段と、上述の前記光ディスク面に対する光の光軸の傾斜角度をずらしてデータを記録したときの傾斜角度と、検出されたアドレス情報の読み取り状態との関係から、アドレス情報の読み取り状態が最良となる傾斜角度を求めて記録する手段とを有し、この記録した傾斜角度だけ光の光軸を傾斜させてデータの記録を行うことを特徴とする。
【００４２】
本発明の請求項１６記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、前記光ディスク面に対する光の光軸の傾斜角度をずらしていく手段と、前記光ディスク面に対する光の光軸の傾斜角度をずらしてデータを記録し、その記録領域を再生して生成した前記再生信号からデータの読み取り状態を検出する手段と、上述の前記光ディスク面に対する光の光軸の傾斜角度をずらしてデータを記録したときの傾斜角度と、検出されたデータの読み取り状態との関係から、データの読み取り状態が最良となる傾斜角度を求めて記録する手段とを有し、この記録した傾斜角度だけ光の光軸を傾斜させてデータの記録を行うことを特徴とする。
【００４３】
本発明の請求項１７記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、前記光ディスク面に対する光の光軸の傾斜角度をずらしていく手段と、前記光ディスク面に対する光の光軸の傾斜角度をずらしてデータを記録し、その記録領域を再生して生成した前記再生信号の振幅値を検出する手段と、上述の前記光ディスク面に対する光の光軸の傾斜角度をずらしてデータを記録したときの傾斜角度と、検出された前記再生信号の振幅値との関係から、前記再生信号の振幅値が最大となる傾斜角度を求めて記録する手段とを有し、この記録した傾斜角度だけ光の光軸を傾斜させてデータの記録を行うことを特徴とする。
【００４４】
本発明の請求項１８記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、前記光ディスク面に対する光の光軸の傾斜角度をずらしていく手段と、前記光ディスク面に対する光の光軸の傾斜角度をずらしてデータを記録し、その記録領域を再生して生成した前記再生信号からアドレス情報の読み取り状態を検出する手段と、上述の前記光ディスク面に対する光の光軸の傾斜角度をずらしてデータを記録し、その記録領域を再生して生成した前記再生信号からデータの読み取り状態を検出する手段と、上述の前記光ディスク面に対する光の光軸の傾斜角度をずらしてデータを記録したときの傾斜角度と、検出されたアドレス情報の読み取り状態、及び検出されたデータの読み取り状態の関係から、アドレス情報の読み取り状態が最良となる傾斜角度、及びデータの読み取り状態が最良となる傾斜角度を求め、これらの傾斜角度を基に記録に最適な傾斜角度を求めて記録する手段とを有し、この記録した傾斜角度だけ光の光軸を傾斜させてデータの記録を行うことを特徴とする。
【００４５】
本発明の請求項１９記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、前記光ディスク面に対する光の光軸の傾斜角度をずらしていく手段と、前記光ディスク面に対する光の光軸の傾斜角度をずらしてデータを記録し、その記録領域を再生して生成した前記再生信号からデータの読み取り状態を検出する手段と、上述の前記光ディスク面に対する光の光軸の傾斜角度をずらしてデータを記録し、その記録領域を再生して生成した前記再生信号の振幅値を検出する手段と、上述の前記光ディスク面に対する光の光軸の傾斜角度をずらしてデータを記録したときの傾斜角度と、検出されたデータの読み取り状態、及び検出された前記再生信号の振幅値の関係から、データの読み取り状態が最良となる傾斜角度、及び前記再生信号の振幅値が最大となる傾斜角度を求め、これらの傾斜角度を基に記録に最適な傾斜角度を求めて記録する手段とを有し、この記録した傾斜角度だけ光の光軸を傾斜させてデータの記録を行うことを特徴とする。
【００４６】
本発明の請求項２０記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、前記光ディスク面に対する光の光軸の傾斜角度をずらしていく手段と、前記光ディスク面に対する光の光軸の傾斜角度をずらしてデータを記録し、その記録領域を再生して生成した前記再生信号からアドレス情報の読み取り状態を検出する手段と、上述の前記光ディスク面に対する光の光軸の傾斜角度をずらしてデータを記録し、その記録領域を再生して生成した前記再生信号の振幅値を検出する手段と、上述の前記光ディスク面に対する光の光軸の傾斜角度をずらしてデータを記録したときの傾斜角度と、検出されたアドレス情報の読み取り状態、及び検出された前記再生信号の振幅値の関係から、アドレス情報の読み取り状態が最良となる傾斜角度、及び前記再生信号の振幅値が最大となる傾斜角度を求め、これらの傾斜角度を基に記録に最適な傾斜角度を求めて記録する手段とを有し、この記録した傾斜角度だけ光の光軸を傾斜させてデータの記録を行うことを特徴とする。
【００４７】
本発明の請求項２１記載の光ディスク記録再生装置は、予めアドレス情報が記録されている光ディスクのトラックに光を照射するとともに、前記光ディスクからの反射光に応じた信号を出力する光ピックアップと、前記光ピックアップの出力を基に再生信号を生成する信号生成手段と、前記光ディスクに照射する光の光軸を傾斜させ前記光ディスク面に対する光の光軸の傾斜角度を調整する手段と、を備え、前記光ディスク面に対する光の光軸の傾斜角度を調整してデータの記録や再生を行う光ディスク記録再生装置であって、前記光ディスク面に対する光の光軸の傾斜角度をずらしていく手段と、前記光ディスク面に対する光の光軸の傾斜角度をずらしてのデータ記録中における前記光ディスクからの反射光により生成した前記再生信号からアドレス情報の読み取り状態を検出する手段と、上述の前記光ディスク面に対する光の光軸の傾斜角度をずらしてデータを記録したときの傾斜角度と、検出されたアドレス情報の読み取り状態との関係から、アドレス情報の読み取り状態が最良となる傾斜角度を求めて記録する手段とを有し、この記録した傾斜角度だけ光の光軸を傾斜させてデータの記録を行うことを特徴とする。
【００４８】
以上のように、本発明によれば、記録品位を最も良い状態にすることができるので、再生時のリードマージンを十分に確保することが可能となり、環境の変化によって記録及び再生特性が多少悪化しても、安定した記録や再生を行うことができるようになる。
【００４９】
【発明の実施の形態】
以下、本発明の実施の形態について図面を用いて説明する。なお、ここで示す実施の形態はあくまでも一例であって、必ずしも以下の実施の形態に限定されるものではない。
【００５０】
図１は、本実施の形態による光ディスク記録再生装置の一構成例を示すブロック図である。図１において、１は予めアドレス情報が記録された記録可能な光ディスク、２は光ディスク１に照射する光としてレーザ光を出射するとともに、光ディスク１からの反射光に応じた信号を出力する光ピックアップであり、トラッキングアクチュエータ３、フォーカスアクチュエータ４、チルトアクチュエータ５、レーザ駆動回路６、レーザダイオード７、光検出器８、対物レンズ９等で構成されている。
【００５１】
レーザ駆動回路６は後述するＲＦアンプ１０により制御され、レーザダイオード７を駆動する。レーザダイオード７はレーザ駆動回路６により流された電流量に応じた出射パワーのレーザ光を出射する。対物レンズ９はレーザダイオード７から出射されたレーザ光を集光して光ディスク１上に光スポットを形成する。また、トラッキングアクチュエータ３は対物レンズ９をディスクの半径方向（トラッキング方向）に移動させ、光スポットのトラッキング位置を調整する。フォーカスアクチュエータ４は対物レンズ９をディスクに接離する方向（フォーカス方向）に移動させ、レーザ光の焦点位置を調整する。チルトアクチュエータ５は対物レンズ９の角度を変化させ、光ディスク１面に対するレーザ光の光軸の傾斜角度を調整する。また、光検出器８は光ディスク１からの反射光を受光し、電気信号に変換して出力する。
【００５２】
１０は光検出器８の出力信号（電気信号）を基に、演算処理により、光スポットのトラックセンター（規定のトラッキング位置）からのずれ量に応じたトラッキングエラー信号、レーザ光の焦点の光ディスク１面上（合焦点）からのずれ量に応じたフォーカスエラー信号、および再生信号として再生ＲＦ信号を生成する信号生成手段としてのＲＦアンプである。また、ＲＦアンプ１０は後述するＣＰＵ１４からの指示に従う信号、もしくは記録データエンコード回路２２から入力されるデータに応じた信号をレーザ駆動回路６へ送り、レーザダイオード７によるレーザ出力のＯＮ／ＯＦＦ及びレーザ光の出射パワーを制御する。
【００５３】
なお、ここでは規定のトラッキング位置がトラックセンターに初期設定されているものとして説明するが、無論、規定のトラッキング位置はトラックセンターに限るものではない。また、合焦点が光ディスク１面上に初期設定されているものとして説明するが、無論、合焦点は光ディスク１面上に限るものではない。
【００５４】
１１はトラッキングアクチュエータ３を駆動するトラッキングアクチュエータ駆動装置、１２はフォーカスアクチュエータ４を駆動するフォーカスアクチュエータ駆動装置、１３はチルトアクチュエータ５を駆動するチルトアクチュエータである。
【００５５】
１４は装置全体を制御するＣＰＵ、１５はＣＰＵ１４とデータのやり取りが可能な記憶装置としてのメモリである。
１６はトラッキングエラー信号を基にトラッキングアクチュエータ駆動装置１１を制御して光スポットがトラックセンターでトラッキングするようにトラッキングアクチュエータ３を駆動させ、フォーカスエラー信号を基にフォーカスアクチュエータ駆動装置１２を制御してレーザ光の焦点位置が光ディスク１面上となるようにフォーカスアクチュエータ４を駆動させ、ＣＰＵ１４からの指令を基にチルトアクチュエータ駆動装置１３を制御して反射光が効率良く光検出器８で受光されるようにチルトアクチュエータ５を駆動させるサーボコントローラである。
【００５６】
１７はＲＦアンプ１０の生成した再生ＲＦ信号を２値化してデータ（デジタル信号）に変換するデータスライス回路、１８はこのデータのジッター値に応じた信号をＣＰＵ１４へ出力するデータジッター検出回路である。
【００５７】
１９はＲＦアンプ１０の生成した再生ＲＦ信号からバイフェーズデータを生成するバイフェーズデータ生成回路である。光ディスク１のトラックの両端は、アドレス情報としてのＡＴＩＰ信号が周波数変調された形で波うっており、再生ＲＦ信号には、この周波数変調された成分が含まれる。バイフェーズデータ生成回路１９はこの周波数変調された成分を抽出して２値化した後に周波数復調することにより、再生ＲＦ信号からバイフェーズデータ（アドレスデータ）を生成する。２０はこのバイフェーズデータのジッター値に応じた信号をＣＰＵ１４へ出力するバイフェーズデータジッター検出回路である。
【００５８】
２１はＲＦアンプ１０で生成した再生ＲＦ信号の振幅値を検出し、この振幅値をＣＰＵ１４へ出力するＲＦ振幅検出回路である。
２２はＣＰＵ１４からの指示を受けて光ディスク１に記録するデータをエンコードしてＲＦアンプ１０へ出力する記録データエンコード回路である。
【００５９】
以上のように構成された光ディスク記録再生装置のトラッキングサーボ系の動作について説明する。
レーザ駆動回路６によってレーザダイオード７に電流が流されると、レーザダイオード７はその電流量に応じた出射パワーのレーザ光を出射する。このレーザ光は対物レンズ９によって光ディスク１面上のトラックセンターに集光され、光スポットとなる。光ディスク１からの反射光は、再び対物レンズ９を通り光検出器８で受光される。光検出器８は受光した反射光を電気信号に変換してＲＦアンプ１０に出力する。
【００６０】
ＲＦアンプ１０は、上述したように、光検出器８からの電気信号を基に、光スポットのトラックセンターからのずれ量に応じたトラッキングエラー信号を生成して、サーボコントローラ１６へ出力する。サーボコントローラ１６は、通常は、このトラッキングエラー信号を基に生成したトラッキング制御信号（ＰＷＭ信号）をトラッキングアクチュエータ駆動装置１１へ出力する。トラッキングアクチュエータ駆動装置１１はこのトラッキング制御信号に応じた量の電流をトラッキングアクチュエータ３に流し、光スポットがトラックセンターを追従するように対物レンズ９をトラッキング方向に移動させる。
【００６１】
ＲＦアンプ１０若しくはサーボコントローラ１６は、トラッキングエラー信号に偏位値としてオフセット電圧（トラッキングエラー信号のセンター電圧値を上げる若しくは下げる電圧）を加える機能を有している。ＣＰＵ１４からＲＦアンプ１０若しくはサーボコントローラ１６に対してトラッキングエラー信号にオフセット電圧を加えるよう指示が出されると、サーボコントローラ１６は、このオフセット電圧が加えられたトラッキングエラー信号を基にトラッキング制御信号を生成する。トラッキングアクチュエータ駆動装置１１はこのトラッキング制御信号に応じた量の電流をトラッキングアクチュエータ３に流し、光スポットがトラックセンターからオフセット電圧に応じたずれ量だけずれたトラック位置を追従するように対物レンズ９をトラッキング方向に移動させる。
【００６２】
続いて、フォーカスサーボ系の動作について説明する。
ＲＦアンプ１０は、上述したように、光ピックアップ２内蔵の光検出器８から出力される電気信号を基に、レーザ光の焦点の光ディスク１面上からのずれ量に応じたフォーカスエラー信号を生成して、サーボコントローラ１６へ出力する。サーボコントローラ１６は、通常は、このフォーカスエラー信号を基に生成したフォーカス制御信号（ＰＷＭ信号）をフォーカスアクチュエータ駆動装置１２へ出力する。フォーカスアクチュエータ駆動装置１２はこのフォーカス制御信号に応じた量の電流をフォーカスアクチュエータ４に流し、レーザ光が光ディスク１面上で合焦するように対物レンズ９をフォーカス方向に移動させる。
【００６３】
ＲＦアンプ１０若しくはサーボコントローラ１６は、フォーカスエラー信号に偏位値としてオフセット電圧（フォーカスエラー信号のセンター電圧を上げる若しくは下げる電圧）を加える機能を有している。ＣＰＵ１４からＲＦアンプ１０若しくはサーボコントローラ１６に対してフォーカスエラー信号にオフセット電圧を加えるよう指示が出されると、サーボコントローラ１６は、このオフセット電圧が加えられたフォーカスエラー信号を基にフォーカス制御信号を生成する。フォーカスアクチュエータ駆動装置１２はこのフォーカス制御信号に応じた量の電流をフォーカスアクチュエータ４に流し、レーザ光の焦点位置が光ディスク１面上からオフセット電圧に応じたずれ量だけずれた位置となるように対物レンズ９をフォーカス方向に移動させる。
【００６４】
続いて、チルト制御について説明する。サーボコントローラ１６は、ＣＰＵ１４から指示を受けチルトアクチュエータ駆動装置１３へチルト制御信号を出力する。チルトアクチュエータ駆動装置１３はこのチルト制御信号に応じた量の電流をチルトアクチュエータ５に流す。チルトアクチュエータ５はこの流された電流量に応じた角度だけ対物レンズ９を傾けるようにする。
【００６５】
続いて、データの記録動作について説明する。記録データエンコード回路２２は、ＣＰＵ１４からの指示を受け光ディスク１に記録するためのデータをエンコードしてＲＦアンプ１０へ出力する。ＲＦアンプ１０はこのエンコードされたデータに基づく信号を光ピックアップ２内蔵のレーザ駆動回路６に送る。レーザ駆動回路６は、このＲＦアンプ１０から送られた信号に基づいて、レーザダイオード７を駆動し、エンコードされたデータの“０”及び“１”に応じてピットが光ディスク１のトラック上に形成されるようにする。
【００６６】
以上の内容を踏まえ、当該光ディスク記録再生装置におけるアドレス情報の読み取り状態が最良となるトラッキングのずれ量を求める処理動作について説明する。
【００６７】
まず、光ディスク１にデータを記録しながら、ＣＰＵ１４が、ＲＦアンプ１０若しくはサーボコントローラ１６に対し、偏位値としてのオフセット電圧をトラッキングエラー信号に徐々に加えるように指示する。但し、上述したように、本実施の形態では、対物レンズ９により集光されるレーザ光のスポット（光スポット）がトラックセンターをトラッキングするように、トラッキングエラー信号のセンター電圧値が初期設定されているものとする。
【００６８】
ＲＦアンプ１０若しくはサーボコントローラ１６は、ＣＰＵ１４からの指示に従ってトラッキングエラー信号に徐々にオフセット電圧を加えていく。上述したように、本実施の形態では、光スポットがトラックセンターをトラッキングするように初期設定されているので、トラッキングエラー信号にオフセット電圧を加えると光スポットがトラックセンターからずれ、トラッキングがずれる。なお、オフセット電圧値とトラッキングのずれ量は比例関係にある。
【００６９】
トラッキングエラー信号に対して予め定められた範囲のオフセット電圧を加え終わった後、記録動作を終了する。但し、光ディスク１の内周方向と外周方向のそれぞれの方向へ光スポットがトラックセンターからずれるようにオフセット電圧を加えるものとする。
【００７０】
その後、トラッキングエラー信号にオフセット電圧を加えてデータを記録した領域を再生する。再生時は、再生用の出射パワーでレーザ光が出射される。なお、再生時のトラッキング位置は、例えば初期設定されているトラックセンターである。レーザ光は対物レンズ９により集光され光ディスク１に照射される。光ディスク１からの反射光は、再び対物レンズ９を通り、光検出器８に入射される。光検出器８は、受光した反射光を電気信号に変換しＲＦアンプ１０に出力する。ＲＦアンプ１０はこの電気信号から再生ＲＦ信号を生成する。
【００７１】
本実施の形態ではアドレス情報の読み取り状態としてバイフェーズデータのジッター値を検出するために、生成された再生ＲＦ信号に含まれるＡＴＩＰ信号（アドレス情報）をバイフェーズデータ生成回路１９にてバイフェーズデータ（アドレスデータ）に変換し、バイフェーズデータジッター検出回路２０へ入力する。バイフェーズデータジッター検出回路２０はバイフェーズデータのジッター値を検出してＣＰＵ１４へ出力する。
【００７２】
ＣＰＵ１４は、トラッキングのずれ量すなわちトラッキングエラー信号に加えたオフセット電圧値と検出したバイフェーズデータのジッター値とを基に、バイフェーズデータのジッター値が最小となるオフセット電圧値を求め、メモリ１５に記録する。
【００７３】
このように、本実施の形態では、アドレス情報の読み取り状態が最良となるトラッキングのずれ量として、バイフェーズデータのジッター値が最小となるオフセット電圧値を求めている。なお、上述したように、本実施の形態では、光スポットがトラックセンターをトラッキングするように初期設定されているので、トラッキングのずれ量はトラックセンターからのずれ量となる。また、このずれ量は内周方向へのずれ量なのか外周方向へのずれ量なのかを区別できるものである。
【００７４】
本実施の形態によれば、例えば工場で製品を製造しているときに上述の処理動作を行わせることにより、アドレス情報の読み取り状態が最良となるトラッキングのずれ量に対応するオフセット電圧値をメモリに記録させ、実際にユーザが使用するときには、メモリに記録されているオフセット電圧値をトラッキングエラー信号に加えてデータ記録を行うようにすることができるので、アドレス情報の読み取り状態が最良となるデータ記録を行うことができるようになり、光ディスク記録再生装置の記録品位を向上させることができる。
【００７５】
次に、当該光ディスク記録再生装置におけるデータの読み取り状態が最良となるトラッキングのずれ量を求める処理動作について説明する。
まず、上述したようにトラッキングエラー信号に偏位値としてのオフセット電圧を徐々に加えながらデータを記録した後、その領域を再生する。
【００７６】
本実施の形態ではデータの読み取り状態としてデータのジッター値を検出するために、データスライス回路１７にて再生ＲＦ信号を２値化してデータに変換し、データジッター検出回路１８に入力する。データジッター検出回路１８はデータのジッター値を検出してＣＰＵ１４へ出力する。
【００７７】
ＣＰＵ１４は、トラッキングのずれ量すなわちトラッキングエラー信号に加えたオフセット電圧値と検出したデータのジッター値とを基に、データのジッター値が最小となるオフセット電圧値を求め、メモリ１５に記録する。
【００７８】
このように、本実施の形態では、記録したデータの読み取り状態が最良となるトラッキングのずれ量として、データのジッター値が最小となるオフセット電圧値を求めている。
【００７９】
本実施の形態によれば、例えば工場で製品を製造しているときに上述の処理動作を行わせることにより、データの読み取り状態が最良となるトラッキングのずれ量に対応するオフセット電圧値をメモリに記録させ、実際にユーザが使用するときには、メモリに記録されているオフセット電圧値をトラッキングエラー信号に加えてデータ記録を行うようにすることができるので、データの読み取り状態が最良となるデータ記録を行うことができるようになり、光ディスク記録再生装置の記録品位を向上させることができる。
【００８０】
次に、当該光ディスク記録再生装置における予め記録されているアドレス情報の読み取り状態及び記録したデータの読み取り状態が総合的に良くなるトラッキングのずれ量を求める処理動作について説明する。本実施の形態では、このようなトラッキングのずれ量として、再生ＲＦ信号の振幅値が最大となるトラッキングのずれ量を求める。
【００８１】
まず、上述したようにトラッキングエラー信号に偏位値としてのオフセット電圧を徐々に加えながらデータを記録した後、その領域を再生する。
ＲＦアンプ１０にて生成された再生ＲＦ信号はＲＦ振幅検出回路２１に入力されその振幅値が検出される。ＣＰＵ１４は、トラッキングのずれ量すなわちトラッキングエラー信号に加えたオフセット電圧値とＲＦ振幅検出回路２１により検出された再生ＲＦ信号の振幅値とを基に、再生ＲＦ信号の振幅値が最大となるオフセット電圧値を求め、メモリ１５に記録する。
【００８２】
このように、本実施の形態では、予め記録されているアドレス情報の読み取り状態及び記録したデータの読み取り状態が総合的に良くなるトラッキングのずれ量として、再生ＲＦ信号の振幅値が最大となるオフセット電圧値を求めている。
【００８３】
本実施の形態によれば、例えば工場で製品を製造しているときに上述の処理動作を行わせることにより、再生ＲＦ信号の振幅値が最大となるトラッキングのずれ量に対応するオフセット電圧値をメモリに記録させ、実際にユーザが使用するときには、メモリに記録されているオフセット電圧値をトラッキングエラー信号に加えてデータ記録を行うようにすることができるので、予め記録されているアドレス情報の読み取り状態及び記録したデータの読み取り状態が総合的に良くなるデータ記録を行うことができるようになり、光ディスク記録再生装置の記録品位を向上させることができる。
【００８４】
以上、バイフェーズデータのジッター値が最小となるオフセット電圧値、データのジッター値が最小となるオフセット電圧値、再生ＲＦ信号の振幅が最大となるオフセット電圧値をそれぞれ求める場合について説明したが、無論、これらを組み合わせて、記録に最適なオフセット電圧値を求めるようにしてもよい。
【００８５】
例えば、トラッキングをずらしながらデータを記録した領域を再生して生成した再生ＲＦ信号を用いて、バイフェーズデータのジッター値が最小となるオフセット電圧値とデータのジッター値が最小となるオフセット電圧値を求め、以下の式により、予め記録されているアドレス情報の読み取り状態及び記録したデータの読み取り状態が総合的に良くなる記録に最適なオフセット電圧値を求めてメモリ１５に記録するようにしてもよい。
【００８６】
ｚ＝ａ（ｘ＋ｙ）
但し、ｘ＝バイフェーズデータのジッター値が最小となるオフセット電圧値、ｙ＝データのジッター値が最小となるオフセット電圧値、ｚ＝記録に最適なオフセット電圧値であり、ａの値は、ｚの値がｘとｙの間の値を取るように設定する。
【００８７】
このように、予め記録されているアドレス情報の読み取り状態及び記録したデータの読み取り状態が総合的に良くなる記録に最適なトラッキングのずれ量に対応するオフセット電圧値として、バイフェーズデータのジッター値が最小となるオフセット電圧値とデータのジッター値が最小となるオフセット電圧値との差に一定の比率を掛けて割り出したオフセット電圧値を求めるようにしてもよい。
【００８８】
同様に、データのジッター値が最小となるオフセット電圧値と再生ＲＦ信号の振幅値が最大となるオフセット電圧値を組み合わせることによっても、バイフェーズデータのジッター値が最小となるオフセット電圧値と再生ＲＦ信号の振幅値が最大となるオフセット電圧値を組み合わせることによっても、同様の効果を得ることができる。
【００８９】
以上、トラッキングエラー信号に偏位値を徐々に加えながらデータを記録した後、その領域を再生することにより、記録に最適なオフセット電圧値を求める処理動作について説明したが、バイフェーズデータのジッター値は、データを記録している最中であっても検出することが可能であるので、記録動作中にバイフェーズデータのジッター値を求めるようにしてもよい。
【００９０】
光ディスク１にデータを記録するときには、上述したようにエンコードされたデータの“０”及び“１”に応じてピットが光ディスク１のトラック上に形成されるようにする。つまり、記録時は、レーザ光の出射パワーを制御して、ピットを形成するときには強い出射パワーでレーザ光を照射し、ピットを形成しないときには弱い出射パワーでレーザ光を照射するようにしている。この弱い出射パワーは、データ再生時と同じレベルの出射パワーであるので、この再生用の出射パワーでレーザ光を照射しているときに得た再生ＲＦ信号を基に、バイフェーズデータのジッター値を検出することができる。
【００９１】
このように、記録動作中にバイフェーズデータのジッター値を求めるようにすれば、記録動作後に再生動作を行わずに済むので処理時間を短縮することができる。
【００９２】
以上、トラッキングをずらすことにより当該光ディスク記録再生装置の記録品位を向上させるための処理動作について説明してきたが、同様にして、レーザ光の焦点を光ディスク１面上（合焦点）からずらすことにより当該光ディスク記録再生装置の記録品位を向上させるようにしてもよい。
【００９３】
すなわち、フォーカスエラー信号に徐々に偏位値（オフセット電圧）を与え、レーザ光の焦点を光ディスク１面上（合焦点）からずらしながらデータを記録し、その領域を再生して、バイフェーズデータのジッター値、データのジッター値、再生ＲＦ信号の振幅値を検出し、バイフェーズデータのジッター値が最小となるオフセット電圧値、データのジッター値が最小となるオフセット電圧値、再生ＲＦ信号の振幅値が最大となるオフセット電圧値を求めて記録するようにしてもよい。このようにすれば、記録したオフセット電圧値をフォーカスエラー信号に加えて、レーザ光の焦点位置を合焦点から記録に最適な位置にずらしてデータ記録できるようになるので、光ディスク記録再生装置の記録品位を向上させることができるようになる。なお、バイフェーズデータのジッター値については、上記したように記録動作中に求めることが可能である。
【００９４】
また、同様にして、光ディスク１面に対するレーザ光の光軸の傾斜角度（チルト角）を調整することにより、当該光ディスク記録再生装置の記録品位を向上させるようにしてもよい。
【００９５】
すなわち、光ディスク１にデータを記録しながら、ＣＰＵ１４が、サーボコントローラ１６に対し、光ディスク１面に対するレーザ光の光軸の傾斜角度を徐々にずらすように指示し、記録終了後、この記録した領域を再生して、バイフェーズデータのジッター値、データのジッター値、再生ＲＦ信号の振幅値を検出し、サーボコントローラ１６に指示した傾斜角度と検出したバイフェーズデータのジッター値、データのジッター値、再生ＲＦ信号の振幅値を基に、バイフェーズデータのジッター値が最小となるチルト角、データのジッター値が最小となるチルト角、再生ＲＦ信号の振幅値が最大となるチルト角を求めてメモリ１５に記録するようにしてもよい。このようにすれば、データ記録中に、記録した傾斜角度となるように光ディスク面に対するレーザ光の光軸を傾けることができるので、反射光が効率良く光受光器で受光されるようになり、光ディスク記録再生装置の記録品位を向上させることができるようになる。なお、バイフェーズデータのジッター値については、上記したように記録動作中に求めることが可能である。
【００９６】
【発明の効果】
以上のように、本発明によれば、記録品位を最も良い状態にすることができるので、再生時のリードマージンを十分に確保することが可能となり、環境の変化によって記録及び再生特性が多少悪化しても、安定した記録や再生を行うことができるようになる。
【図面の簡単な説明】
【図１】本発明の実施の形態による光ディスク記録再生装置の一構成例を示すブロック図
【図２】従来のデトラックトレランス検出装置を適用されたミニディスクプレーヤの概略構成を示すブロック図
【図３】図２に示すＲＦアンプ等の詳細な回路等を示すブロック図
【図４】偏位値が加えられたトラッキングエラー信号の波形図
【図５】偏位値が加えられたトラッキングエラー信号の波形図
【図６】デトラック値とアドレスエラー値の関係の一例を示す図
【図７】デトラック値と再生ＲＦ信号を２値化したデータのジッター値の関係、及びデトラック値とアドレスエラー値の関係の一例を示す図
【図８】従来の問題点を説明するための図
【符号の説明】
１  光ディスク
２  光ピックアップ
３  トラッキングアクチュエータ
４  フォーカスアクチュエータ
５  チルトアクチュエータ
６  レーザ駆動回路
７  レーザダイオード
８  光検出器
９  対物レンズ
１０  ＲＦアンプ
１１  トラッキングアクチュエータ駆動装置
１２  フォーカスアクチュエータ駆動装置
１３  チルトアクチュエータ駆動装置
１４  ＣＰＵ
１５  メモリ
１６  サーボコントローラ
１７  データスライス回路
１８  データジッター検出回路
１９  バイフェーズデータ生成回路
２０  バイフェーズデータジッター検出回路
２１  ＲＦ振幅検出回路
２２  記録データエンコード回路
３０  光ディスク（ミニディスク）
３１  光学ヘッド
３２  ＲＦアンプ
３３  デジタルサーボ回路
３４  サーボドライバ
３５  システムコントローラ
３６、３７  演算増幅器
３８  ロー・パス・フィルタ
３９  ゲイン調整回路
【図１】
2004288251.tif 000003
【図２】
2004288251.tif 000004
【図３】
2004288251.tif 000005
【図４】
2004288251.tif 000006
【図５】
2004288251.tif 000007
【図６】
2004288251.tif 000008
【図７】
2004288251.tif 000009
【図８】
2004288251.tif 000010